(57)【要約】  情報記録再生装置（１）は、ガイド層（５１）と、ガイド層上に積層された複数の記録層（５２）とを有する光ディスク（５０）に対して、情報を記録する又は記録された情報を再生する。情報記録再生装置は、複数の記録層のうち一の記録層に対して、対物レンズ（１０１）を介して第１光ビーム（Ｌ１）を照射する記録再生光学系と、ガイド層に対して、対物レンズを介して第２光ビーム（Ｌ２）を照射するサーボ光学系と、対物レンズを支持すると共に、サーボ光学系からの再生信号に基づいて対物レンズを駆動する対物レンズ駆動手段（ＡＣＴ１）と、記録再生光学系、サーボ光学系及び対物レンズ駆動手段をまとめて駆動可能なスライダ部（３００）と、対物レンズの偏奇量を検出する偏奇量検出手段（２３０）と、検出された偏奇量を小さくするように、スライダ部の駆動速度を制御するスライダ制御手段（２４０）とを備える。
2012111105.tif 000002
【特許請求の範囲】
【請求項１】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を小さくするように、前記スライダ部の駆動速度を制御するスライダ制御手段と
を備えることを特徴とする情報記録再生装置。
【請求項２】
前記スライダ制御手段は、前記スライダ部の駆動速度を、前記ガイドトラックの進行速度に近づけるように制御することを特徴とする請求の範囲第１項に記載の情報記録再生装置。
【請求項３】
前記スライダ制御手段は、前記スライダ部の駆動速度の基準とすべき基準速度を算出する基準速度算出手段を有しており、前記基準速度に基づいて前記スライダ部の駆動速度を制御することを特徴とする請求の範囲第１項に記載の情報記録再生装置。
【請求項４】
前記スライダ制御手段は、前記記録再生光学系において情報を記録する場合には、前記スライダ部の駆動速度を制御し、前記記録再生光学系において情報を再生する場合には、前記スライダ部の位置を制御することを特徴とする請求の範囲第１項に記載の情報記録再生装置。
【請求項５】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を基準偏奇量として保持するように前記スライダ部を制御する偏奇量保持制御手段と
を備えることを特徴とする情報記録再生装置。
【請求項６】
前記偏奇量保持制御手段は、前記偏奇量が所定閾値より大きく変動したことを検出した場合に、前記基準偏奇量を再設定することを特徴とする請求の範囲第５項に記載の情報記録再生装置。
【請求項７】
前記偏奇量保持制御手段は、前記記録再生光学系において情報を記録する場合にのみ、前記検出された偏奇量を前記基準偏奇量として保持するように前記スライダ部を制御することを特徴とする請求の範囲第５項に記載の情報記録再生装置。
【請求項８】
ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を小さくするように、前記スライダ部の駆動速度を制御するスライダ制御工程と
を備えることを特徴とする情報記録再生方法。
【請求項９】
ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を基準偏奇量として保持するように前記スライダ部を制御する偏奇量保持制御工程と
を備えることを特徴とする情報記録再生方法。
【発明の詳細な説明】
【技術分野】
【０００１】
本発明は、例えばサーボエラー信号検出用のガイド層と、複数の記録層とを含んでなる多層光ディスクに情報を記録又は記録された情報を再生する情報記録再生装置及び情報記録再生方法の技術分野に関する。
【背景技術】
【０００２】
この種の装置として、例えば複数のデータ記録／再生層及びサーボ用ガイドトラック再生層を有する多層式光ディスクに対して、データの記録／再生を行うものが知られている。このような装置では、データの記録又は再生を行うための記録再生ビームと、ガイドトラックを検出するためのサーボビームとの間に位置ずれや光軸ずれが発生するおそれがある。【０００３】
このため、記録再生ビームとサーボビームとの間に位置ずれがある場合には、トラッキングオフセットを振って記憶済データの振幅を測定しながらオフセット調整を行うという技術が提案されている（例えば、特許文献１参照）。また、記録再生側のトラッキングエラーとサーボ側のトラッキングエラーとを比較することで、記録再生ビームとサーボビームとの光軸ずれ量を検出し、トラッキングオフセットを与えて光軸ずれ量を補正するという技術が提案されている（例えば、特許文献２参照）。
【先行技術文献】
【特許文献】
【０００４】
【特許文献１】特開２００１−１３４９６１号公報
【特許文献２】特開２００１−３５７５４２号公報
【発明の概要】
【発明が解決しようとする課題】
【０００５】
しかしながら、上述した特許文献１及び２に係る技術のように、記録再生ビームとサーボビームとの位置ずれ及び光軸ずれを補正する場合、位置ずれ及び光軸ずれが変動することによる新たな不具合が生じてしまうおそれがある。具体的には、記録再生ビームとサーボビームとの位置ずれ及び光軸ずれが変動すると、記録されるトラックのピッチに狭い部分と広い部分とが生じてしまう。即ち、トラックピッチむらが発生してしまう。トラックピッチむらが発生したとすると、例えばトラックピッチが狭い部分では、再生時の信号劣化を招き、再生性能やトラッキング性能に問題が生じる可能性がある。従って、上述した特許文献１及び２に係る技術は、記録及び再生において安定した性能を確保することが困難であるという技術的問題点を有している。【０００６】
本発明は、例えば上述した技術的な問題に鑑みて為されたものであり、ガイド層を有する多層式光ディスクにおけるトラックピッチむらの発生を抑制することが可能な情報記録再生装置及び情報記録再生方法を提供することを課題とする。
【課題を解決するための手段】
【０００７】
上記課題を解決するために、本発明の第１の情報記録再生装置は、ガイドトラックが形成されたガイド層と、前記ガイド層上に積層された複数の記録層とを有する光ディスクに対して、情報を記録する又は記録された情報を再生する情報記録再生装置であって、前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部と、前記対物レンズ駆動手段の駆動範囲内での前記対物レンズの偏奇量を検出する偏奇量検出手段と、前記検出された偏奇量を小さくするように、前記スライダ部の駆動速度を制御するスライダ制御手段とを備える。【０００８】
本発明の第１の情報記録再生装置は、案内構造であるガイドトラックが形成されたガイド層と、該ガイド層上に積層された複数の記録層とを有する光ディスクに対して情報を記録する、又は記録された情報を再生する。このため、本発明の第１の情報記録再生装置は特に、情報を記録又は再生するための記録再生光学系と、記録時のトラッキングを行うためのサーボ光学系とを備えている。【０００９】
記録再生光学系は、例えばＬＤ（Laser Diode）等である光源を有しており、光ディスクの複数の記録層のうち一の記録層に対して、対物レンズを介して記録再生用の第１光ビームを照射する。尚、ここでの「記録再生用」とは、情報の記録に用いることもできるし、再生に用いることもできるという意味である。他方、サーボ光学系は、光ディスクのガイド層に対して、対物レンズを介してトラッキング用の第２光ビームを照射する。即ち、記録再生光学系及びサーボ光学系の各光学系は、光ディスクの異なる層に対して夫々光ビームを照射する。尚、第１光ビームの波長は、例えば４０５ｎｍ（ナノメートル）であり、第２光ビームの波長は、例えば６６０ｎｍである。【００１０】
記録再生光学系及びサーボ光学系によって照射される光は、共に対物レンズを介して光ディスクに照射される。対物レンズは、例えばレンズアクチュエータ等である対物レンズ駆動手段によって支持されている。対物レンズ駆動手段は、例えば対物レンズをその外周側から包囲して保持するように設けられており、サーボ光学系からの再生信号に基づいて対物レンズを駆動する。具体的には、例えばサーボ光学系からの再生信号に応じて生成されるトラッキングエラーに基づいて、記録再生光学系による第１光ビームの照射位置を調整するように対物レンズを駆動する。尚、対物レンズ駆動手段は、対物レンズを、光ディスクの表面に沿って（例えば、ガイド層に形成されたトラックの接線方向に垂直な方向に）駆動可能であると共に、対物レンズを、光ディスクに入射する各光ビームの光軸方向に沿って駆動可能である。【００１１】
上述した記録再生光学系、サーボ光学系及び対物レンズ駆動手段の各々は、スライダ部によってまとめて駆動可能とされている。具体的には、例えば記録再生光学系、サーボ光学系及び対物レンズ駆動手段を含む筐体に固定されたスライダ部の位置が、ステッピングモータ等の駆動によって変更可能とされている。スライダ部は、対物レンズ駆動手段よりも駆動範囲が大きく設定されており、対物レンズ駆動手段だけでは対応できないような位置へと各光学系を移動させることができる。【００１２】
本発明の第１の情報記録再生装置による情報の記録又は再生時には、偏奇量検出手段によって、対物レンズ駆動手段の駆動範囲内での対物レンズの偏奇量が検出される。尚、ここでの「偏奇量」とは、対物レンズが、対物レンズ駆動手段の駆動範囲内でどの程度偏った位置に存在しているかを示す値であり、典型的には、対物レンズ駆動手段の駆動範囲における中心位置からの距離として決定される。【００１３】
対物レンズの偏奇量が検出されると、スライダ制御手段によって、検出された偏奇量を小さくするようにスライダ部が制御される。具体的には、対物レンズが一の方向に偏奇している場合、スライダ部も一の方向へと駆動される。即ち、検出された対物レンズの偏奇量を打ち消すような方向へと、スライダ部が駆動される。対物レンズの偏奇量が小さくなれば、対物レンズ駆動手段の偏奇方向における作動範囲が限定されてしまうことを防止できる。更には、第１光ビームと第２光ビームとの位置ずれや光軸ずれを低減することができる。【００１４】
ここで特に、上述したスライダ制御手段は、スライダ部の駆動速度を制御することで、スライダ部の駆動を制御する。具体的には、スライダ部は、偏奇量を小さくするための目標位置が指定され、該目標位置を目指して移動するように駆動されるのではなく、目標位置への移動を実現するための駆動速度が指定されることによって駆動される。即ち、スライダ制御手段は、スライダ部に対する位置制御でなく速度制御を行う。速度制御では、位置制御と比べて対物レンズの偏奇量だけでなく偏奇量の変化に対しても制御が可能であるため、対物レンズの偏奇量の変動を抑えつつ偏奇量を減少させることができる。言い換えれば、速度制御によれば、位置制御と比べて緩やかに対物レンズの偏奇量が小さくされる。【００１５】
本願発明者の研究によれば、対物レンズの偏奇量が比較的大きく変動した場合、トラックピッチむらが生じてしまうことが判明している。そして、このトラックピッチむらは、再生時の信号劣化を招き、再生性能やトラッキング性能に問題を生じさせる原因となるおそれがある。【００１６】
しかるに本発明の第１の情報記録再生装置は、上述したようにスライド部が速度制御される。従って、対物レンズの偏奇量の変動は比較的小さなものとなり、トラックピッチむらの発生を抑制することができる。【００１７】
本発明の第１の情報記録装置の一態様では、前記スライダ制御手段は、前記スライダ部の駆動速度を、前記ガイドトラックの進行速度に近づけるように制御する。【００１８】
この態様によれば、スライダ部の駆動速度が、ガイドトラックの進行速度（より具体的には、スライド部がスライドする方向でのガイドトラックの進行速度）に近づけられるため、より好適に偏奇量を小さくすることができる。即ち、偏奇量の変動を抑制しつつ、徐々に偏奇量を小さくすることができる。【００１９】
尚、スライダ部の駆動速度は、ガイドトラックの進行速度と一致することが好ましいが、完全に一致しない場合であっても、多少なりともガイドトラックの進行速度に近づけることができれば、上述した効果は相応に得られる。【００２０】
本発明の第１の情報記録装置の他の態様では、前記スライダ制御手段は、前記スライダ部の駆動速度の基準とすべき基準速度を算出する基準速度算出手段を有しており、前記基準速度に基づいて前記スライダ部の駆動速度を制御する。【００２１】
この態様によれば、スライダ制御手段によるスライダ部の制御が行われる際には、基準速度算出手段によって、スライダ部の駆動速度の基準とすべき基準速度が算出される。尚、ここでの「基準速度」とは、記録再生光学系から照射される第１光ビームによって適切な記録を行うためのスライダ部の駆動速度（言い換えれば、記録中にガイドトラックが進む速度）である。【００２２】
基準速度は、例えば光ディスクの回転周波数、ガイドトラックのトラックピッチを用いて算出できる。また、光ディスクにおける半径位置からも算出可能である。このようにして算出される基準速度は、当該装置の特性上、非常に正確性が高いものとなる。【００２３】
基準速度が算出されると、スライダ制御手段は、算出された基準速度に基づいてスライダ部の駆動速度を制御する。例えば、実現すべき駆動速度に対して、基準速度をフィードフォワード値（即ち、予め分かっている与えるべき制御量）として加算する。このような制御によれば、位置制御と比較して誤差が蓄積し易い速度制御においても、精度の高い制御が可能となる。従って、トラックピッチむらの発生を、より好適に抑制することが可能となる。【００２４】
本発明の第１の情報記録装置の他の態様では、前記スライダ制御手段は、前記記録再生光学系において情報を記録する場合には、前記スライダ部の駆動速度を制御し、前記記録再生光学系において情報を再生する場合には、前記スライダ部の位置を制御する。【００２５】
この態様によれば、記録再生光学系において情報を記録する場合には、スライダ制御手段によってスライダ部の駆動速度が制御される。即ち、速度制御が行われる。一方で、記録再生光学系において情報を再生する場合には、スライダ制御手段によってスライダ部の位置が制御される。即ち、位置制御が行われる。【００２６】
上述したように、速度制御によれば、位置制御と比べて緩やかに対物レンズの偏奇量が小さくされるため、記録時のトラックピッチむらの発生を抑制することが可能となる。他方で、再生時にはトラックピッチむらが新たに発生してしまうことはないため、速度制御より高速で精度の高い位置制御を用いることで、より好適にスライダ部を駆動させることが可能となる。【００２７】
上記課題を解決するために、本発明の第２の情報記録再生装置は、ガイドトラックが形成されたガイド層と、前記ガイド層上に積層された複数の記録層とを有する光ディスクに対して、情報を記録する又は記録された情報を再生する情報記録再生装置であって、前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部と、前記対物レンズ駆動手段の駆動範囲内での前記対物レンズの偏奇量を検出する偏奇量検出手段と、前記検出された偏奇量を基準偏奇量として保持するように前記スライダ部を制御する偏奇量保持制御手段とを備える。【００２８】
本発明の第２の情報記録再生装置は、案内構造であるガイドトラックが形成されたガイド層と、該ガイド層上に積層された複数の記録層とを有する光ディスクに対して情報を記録する、又は記録された情報を再生する。このため、本発明の第２の情報記録再生装置は特に、情報を記録又は再生するための記録再生光学系と、記録時のトラッキングを行うためのサーボ光学系とを備えている。【００２９】
記録再生光学系は、例えばＬＤ（Laser Diode）等である光源を有しており、光ディスクの複数の記録層のうち一の記録層に対して、対物レンズを介して記録再生用の第１光ビームを照射する。尚、ここでの「記録再生用」とは、情報の記録に用いることもできるし、再生に用いることもできるという意味である。他方、サーボ光学系は、光ディスクのガイド層に対して、対物レンズを介してトラッキング用の第２光ビームを照射する。即ち、記録再生光学系及びサーボ光学系の各光学系は、光ディスクの異なる層に対して夫々光ビームを照射する。尚、第１光ビームの波長は、例えば４０５ｎｍ（ナノメートル）であり、第２光ビームの波長は、例えば６６０ｎｍである。【００３０】
記録再生光学系及びサーボ光学系によって照射される光は、共に対物レンズを介して光ディスクに照射される。対物レンズは、例えばレンズアクチュエータ等である対物レンズ駆動手段によって支持されている。対物レンズ駆動手段は、例えば対物レンズをその外周側から包囲して保持するように設けられており、サーボ光学系からの再生信号に基づいて対物レンズを駆動する。具体的には、例えばサーボ光学系からの再生信号に応じて生成されるトラッキングエラーに基づいて、記録再生光学系による第１光ビームの照射位置を調整するように対物レンズを駆動する。尚、対物レンズ駆動手段は、対物レンズを、光ディスクの表面に沿って（例えば、ガイド層に形成されたトラックの接線方向に垂直な方向に）駆動可能であると共に、対物レンズを、光ディスクに入射する各光ビームの光軸方向に沿って駆動可能である。【００３１】
上述した記録再生光学系、サーボ光学系及び対物レンズ駆動手段の各々は、スライダ部によってまとめて駆動可能とされている。具体的には、例えば記録再生光学系、サーボ光学系及び対物レンズ駆動手段を含む筐体に固定されたスライダの位置が、ステッピングモータ等の駆動によって変更可能とされている。スライダ部は、対物レンズ駆動手段よりも駆動範囲が大きく設定されており、対物レンズ駆動手段だけでは対応できないような位置へと各光学系を移動させることができる。【００３２】
本発明の第２の情報記録再生装置による情報の記録又は再生時には、偏奇量検出手段によって、対物レンズ駆動手段の駆動範囲内での対物レンズの偏奇量が検出される。尚、ここでの「偏奇量」とは、対物レンズが、対物レンズ駆動手段の駆動範囲内でどの程度偏った位置に存在しているかを示す値であり、典型的には、対物レンズ駆動手段の駆動範囲における中心位置からの距離として決定される。【００３３】
対物レンズの偏奇量が検出されると、偏奇量保持制御手段によって、検出された偏奇量が基準偏奇量として設定され、基準偏奇量を保持するようにスライダ部が制御される。即ち、スライダ部は、対物レンズの偏奇量が変化しないように制御される。【００３４】
本願発明者の研究によれば、対物レンズの偏奇量が比較的大きく変動した場合、トラックピッチむらが生じてしまうことが判明している。そして、このトラックピッチむらは、再生時の信号劣化を招き、再生性能やトラッキング性能に問題を生じさせる原因となるおそれがある。【００３５】
しかるに本発明の第２の情報記録再生装置は、上述したようにスライド部が対物レンズの偏奇量を保持するように駆動制御される。従って、対物レンズの偏奇量の変動は全く或いは殆どなくなり、トラックピッチむらの発生を抑制することができる。【００３６】
本発明の第２の情報記録装置の一態様では、前記偏奇量保持制御手段は、前記偏奇量が所定閾値より大きく変動したことを検出した場合に、前記基準偏奇量を再設定する。【００３７】
この態様によれば、スライド制御手段によってスライド部が対物レンズの偏奇量を保持するように駆動制御されている際に、偏奇量の変動が検出される。そして、偏奇量の変動が所定閾値より大きく変動した場合には、基準偏奇量が再設定される。尚、ここでの「所定閾値」は、対物レンズの偏奇量を保持するのが困難或いは適切でない状況であるか否かを判定するための閾値であり、予め理論的、実験的或いは経験的に求められ、設定されている。【００３８】
例えば、対物レンズの偏奇量を保持するように駆動制御している際に、トラック飛び等に起因して比較的大きな偏奇量の変動が発生したとする。この場合、基準偏奇量を保持しようとすると（即ち、変動してしまった偏奇量を基準偏奇量へと戻そうとすると）、その分、偏奇量が大きく変動してしまうことになり、結果的にトラックピッチむらを発生させてしまうおそれがある。【００３９】
しかるに本態様では、上述したように、対物レンズの偏奇量が所定閾値より大きく変動した場合には、基準偏奇量が再設定される（即ち、変動後の偏奇量が新たな基準偏奇量として設定される）ため、偏奇量の変動を最小限に抑えることができる。よって、予期せぬ偏奇量の変動に起因してトラックピッチむらが発生してしまうことを防止することが可能である。【００４０】
本発明の第２の情報記録装置の他の態様では、前記偏奇量保持制御手段は、前記記録再生光学系において情報を記録する場合にのみ、前記検出された偏奇量を前記基準偏奇量として保持するように前記スライダ部を制御する。【００４１】
この態様によれば、スライダ制御手段による基準偏奇量を保持するようなスライダ部の制御は、再生時には行われず、記録時にのみ行われる。尚、再生時には、例えば対物レンズの偏奇量を小さくするようにスライダ部が制御される。このような制御によれば、再生時において、対物レンズの駆動範囲が偏奇状態によって限定されてしまうことや、対物レンズの偏奇によるトラッキング誤差の発生を防止でき、安定で精度の高いトラッキング制御を行うことができる。【００４２】
上述した基準偏奇量を保持する制御によれば、記録時において対物レンズの偏奇量の変動を抑えることができるため、トラックピッチむらの発生を抑制できる。一方で、再生時には、対物レンズの偏奇量が変動したとしても、新たなトラックピッチむらが発生するおそれはない。よって、本態様によれば、記録時におけるトラックピッチむらの発生を抑制しつつ、好適な再生制御が行える。【００４３】
上記課題を解決するために、本発明の第１の情報記録再生方法は、ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、前記対物レンズ駆動手段の駆動範囲内での前記対物レンズの偏奇量を検出する偏奇量検出工程と、前記検出された偏奇量を小さくするように、前記スライダ部の駆動速度を制御するスライダ制御工程とを備える。【００４４】
本発明の第１の情報記録再生方法によれば、上述した本発明の第１の情報記録再生装置と同様に、スライド部が速度制御される。従って、対物レンズの偏奇量の変動は比較的小さなものとなり、トラックピッチむらの発生を抑制することができる。【００４５】
尚、本発明の第１の情報記録再生方法においても、上述した本発明の第１の情報記録再生装置における各種態様と同様の各種態様を採ることが可能である。【００４６】
上記課題を解決するために、本発明の第２の情報記録再生方法は、ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、前記対物レンズ駆動手段の駆動範囲内での前記対物レンズの偏奇量を検出する偏奇量検出工程と、前記検出された偏奇量を基準偏奇量として保持するように前記スライダ部を制御する偏奇量保持制御工程とを備える。【００４７】
本発明の第２の情報記録再生方法によれば、上述した本発明の第２の情報記録再生装置と同様に、スライド部が対物レンズの偏奇量を保持するように駆動制御される。従って、対物レンズの偏奇量の変動は全く或いは殆どなくなり、トラックピッチむらの発生を抑制することができる。【００４８】
尚、本発明の第２の情報記録再生方法においても、上述した本発明の第２の情報記録再生装置における各種態様と同様の各種態様を採ることが可能である。【００４９】
本発明の作用及び他の利得については、以下に示す実施の形態とともに説明する。
【図面の簡単な説明】
【００５０】
【図１】第１実施形態に係る情報記録再生装置の全体構成を示す概略構成図である。
【図２】第１実施形態に係るスライダ制御部の具体的な構成を示すブロック図である。
【図３】第１実施形態に係る情報記録再生装置の記録時の動作を示すフローチャートである。
【図４】対物レンズが偏奇していない状態を示す側面図である。
【図５】対物レンズが右側に偏奇している状態を示す側面図である。
【図６】対物レンズが左側に偏奇している状態を示す側面図である。
【図７】ガイドトラックに偏芯がある場合のガイドトラックと記録トラックのズレを示す概念図である。
【図８】対物レンズがガイドトラックの進行方向と逆に動く場合のガイドトラックと記録トラックのズレを示す概念図である。
【図９】対物レンズがガイドトラックの進行方向に動く場合のガイドトラックと記録トラックのズレを示す概念図である。
【図１０】第２実施形態に係るスライダ制御部の具体的な構成を示すブロック図である。
【図１１】第２実施形態に係る情報記録再生装置の記録時の動作を示すフローチャートである。
【発明を実施するための形態】
【００５１】
以下では、図面を参照して、本発明の実施形態について詳細に説明する。
【００５２】
＜第１実施形態＞
第１実施形態に係る情報記録再生装置及び情報記録再生方法について、図１から図９を参照して説明する。
【００５３】
先ず、第１実施形態に係る情報記録再生装置の全体構成について、図１を参照して説明する。ここに図１は、第１実施形態に係る情報記録再生装置の全体構成を示す概略構成図である。
【００５４】
図１において、光ディスク５０は、スパイラル状又は同心円状のガイドトラックが予め形成されたガイド層５１と、該ガイド層５１の上に積層された複数の記録層５２とを有している。即ち、光ディスク５０は、所謂、ガイド層分離型多層光ディスクである。ここで、ガイド層５１には、トラッキングエラー信号を得るためのグルーブ構造が予め形成されている。他方、複数の記録層５２には、何らの案内構造（例えばピット、グルーブ等）も形成されていない。
【００５５】
情報記録再生装置１は、光ピックアップ１０、スピンドルモータ２０、制御部３０、スライダ３００を備えて構成されている。
【００５６】
スピンドルモータ２０は、光ディスク５０を着脱自在且つ回転自在に保持するターンテーブル（図示せず）を有している。
【００５７】
光ピックアップ１０は、光ディスク５０の複数の記録層５２のうち一の記録層に対して、記録再生光Ｌ１を照射する記録再生光学系と、光ディスク５０のガイド層５１に対して、サーボ光Ｌ２を照射するサーボ光学系とを有している。
【００５８】
記録再生光学系では、例えば青色レーザーダイオード等である光源ＬＤ１から記録再生光Ｌ１が出射される。尚、光源ＬＤ１は、図示しない駆動回路によって出力が制御されており、例えば記録時には、所望のデータに合わせて高出力で変調駆動され、再生時には一定の比較的低出力で駆動される。出射された記録再生光Ｌ１は、コリメータレンズ１１１、偏光ビームスプリッタＰＢＳ１、二枚のレンズの間隔をアクチュエータＡＣＴ２によって変化させることで平行光に若干の拡散・収束角度を与えるビームエキスパンダ１１２を介して、ダイクロイックプリズムＤＰに入射される。ダイクロイックプリズムＤＰは、記録再生光Ｌ１を反射するように設計されており、記録再生光Ｌ１は、ダイクロイックプリズムＤＰの反射面で反射され、光ディスク５０方向へ９０度光路が曲げられる。記録再生光Ｌ１は、４分の１波長板１０２を透過して円偏光となった後、対物レンズ１０１により光ディスク５０の複数の記録層５２のうち一の記録層（即ち、記録又は再生対象の記録層）上に集光される。
【００５９】
一の記録層で反射された記録再生光Ｌ１は、対物レンズ１０１を介して、４分の１波長板１０２を透過することで、入射光に対して偏光方向が９０度回転した直線偏光となる。記録再生光Ｌ１は、入射時とは逆の光路を辿り、偏光ビームスプリッタＰＢＳ１の反射面で反射され、集光レンズ１１３を介して、受光素子ＰＤ１へと導かれる。受光素子ＰＤ１は、受光強度に応じたレベルの電圧信号を生成する。
【００６０】
サーボ光学系では、例えば赤色レーザーダイオード等である光源ＬＤ２からサーボ光Ｌ２が出射される。尚、光源ＬＤ２は、図示しない駆動回路によって、一定の出力になるように駆動される。出射されたサーボ光Ｌ２は、コリメータレンズ１２１、偏光ビームスプリッタＰＢＳ２を介して、ダイクロイックプリズムＤＰに入射される。ダイクロイックプリズムＤＰは、サーボ光Ｌ２を透過するように設計されており、サーボ光Ｌ２は、ダイクロイックプリズムＤＰを透過し、４分の１波長板１０２を透過して円偏光となった後、対物レンズ１０１により光ディスク５０のガイド層５１上に集光される。
【００６１】
ガイド層５１で反射されたサーボ光Ｌ２は、対物レンズ１０１を介して、４分の１波長板１０２を透過することで、入射光に対して偏光方向が９０度回転した直線偏光となる。サーボ光Ｌ２は、入射時とは逆の光路を辿り、偏光ビームスプリッタＰＢＳ２の反射面で反射され、集光レンズ１２２を介して、受光素子ＰＤ２へと導かれる。受光素子ＰＤ２は、例えば４分割の受光面を有しており、分割面毎に受光強度に応じたレベルの電圧信号を生成する。
【００６２】
尚、記録再生光学系及びサーボ光学系に共通して用いられる対物レンズ１０１は、本発明の「アクチュエータ駆動手段」の一例であるアクチュエータＡＣＴ１によって駆動される。アクチュエータＡＣＴ１は、対物レンズ１０１を光軸方向に移動させるフォーカシング部分と、対物レンズ１０１を光軸に垂直なディスク半径方向（即ち、ガイドトラックの接線方向に直角な方向）に移動させるトラッキング部分を有している。
【００６３】
制御部３０は、トラッキングエラー生成部２１０、トラッキング制御部２２０、対物レンズ駆動部２３０、スライダ制御部２４０及びスライダ駆動部２５０を備えて構成されている。
【００６４】
トラッキングエラー生成部２１０は、受光素子ＰＤ２から出力される電圧信号に応じてトラッキングエラー信号を生成する。トラッキングエラー信号は、サーボ光Ｌ２におけるガイド層５１上のビームスポット位置のガイドトラック中心からの誤差を示す信号である。トラッキングエラー信号の生成には、例えばプッシュプル法等の公知の信号生成方法を用いることができる。トラッキングエラー信号は、トラッキング制御部に供給される。
【００６５】
トラッキング制御部２２０は、トラッキングエラー生成部２１０から供給されるトラッキングエラー信号に基づいて、トラッキング制御を行うためのトラッキング制御信号を生成する。尚、ここでのトラッキング制御とは、例えばガイド層５１のガイドトラックに、サーボ光Ｌ２のビームスポットを沿わせて追従させるような制御である。トラッキング制御信号は、対物レンズ駆動部２３０に供給される。また、トラッキング制御信号の低域成分は、対物レンズ１０１の偏奇状態を示す信号として、スライダ制御部２４０に供給される。
【００６６】
対物レンズ駆動部２３０は、供給されるトラッキング制御信号に基づいて、アクチュエータＡＣＴ１を駆動し、対物レンズ１０１を光ディスク５０の半径方向に移動させる。このとき、記録再生光Ｌ１のビームスポットも間接的に光ディスク５０の半径方向へ位置決めされることになる。これにより、トラッキングサーボがオンの状態（即ち、サーボ光Ｌ２がガイドトラックを追従している状態）で、記録層５２に記録再生光Ｌ１を集光させながら変調して記録を行うと、ガイドトラックを写像したような記録トラックが記録層５２上に形成される。
【００６７】
スライダ制御部２４０は、トラッキング制御部２２０から供給されるトラッキング制御信号の低域部分に基づいて、スライダ３００を駆動するためのスライダ駆動パルス信号を生成する。ここで、スライダ制御部２４０の具体的な構成について、図２を参照して説明する。ここに図２は、第１実施形態に係るスライダ制御部の具体的な構成を示すブロック図である。
【００６８】
図２において、スライダ制御部２４０は、低域通過フィルタ４１０と、目標値設定器４２０と、補償器４３０と、パルス発生器４４０とを備えて構成されている。
【００６９】
低域通過フィルタ４１０は、トラッキング制御信号の低域部分のみを通過させるフィルタである。低域通過フィルタ４１０によって抽出される信号は、対物レンズ１０１の偏奇状態を示すものとなる。
【００７０】
目標値設定器４２０は、スライダ３００の制御における目標値を設定する。目標値設定器４２０は、例えば記録開始時の対物レンズ１０１の偏奇状態である基準偏奇量を目標値として設定する。
【００７１】
補償器４３０は、スライダ３００の制御における制御帯域を制限し、スライダ制御信号を生成する。
【００７２】
パルス発生器は、補償器４３０において生成されたスライダ制御信号と所定の値とを互いに比較し、ステッピングモータ３１０を駆動するためのスライダ駆動パルス信号を生成する。スライダ駆動パルス信号は、スライダ駆動部２５０に供給される。
【００７３】
図１に戻り、スライダ駆動部２５０は、スライダ制御部２４０から供給されるスライダ駆動パルス信号に基づいて、ステッピングモータ３１０を回転駆動する。これによって、ステッピングモータの回転軸に取付けられたボールねじが駆動され、スライダ３００が駆動される。
【００７４】
スライダ３００は、光ピックアップ１０と固定されているため、スライダ３００の駆動に応じて、記録再生光学系及びサーボ光学系の光学系全体が移動される。
【００７５】
次に、第１実施形態に係る情報記録再生装置の動作について、図３を参照して説明する。ここに図３は、第１実施形態に係る情報記録再生装置の記録時の動作を示すフローチャートである。尚、本実施形態に係る情報記録再生装置は、図示しないスピンドル制御部及びフォーカス制御部を備えており、図３に示すフローチャートの開始時点では、スピンドルサーボ及びフォーカスサーボがオンの状態とされているものとする。また、光ディスク５０は線速度一定に回転制御され、記録再生光Ｌ１は所望の記録層５２上に、サーボ光Ｌ２はガイド層５１上に焦点制御されているものとする。
【００７６】
図３において、第１実施形態に係る情報記録再生装置１の動作時には、例えば図示しないシステムコントローラから記録開始指令が出される。記録開始指令を受けたスライダ制御部２４０は、スライダ駆動パルス信号を生成し、ステッピングモータ３１０駆動する。これにより、記録開始待機位置となる所望の半径位置にスライダ３００及び各光学系が移動される（ステップＳ１０１）。
【００７７】
続いて、トラッキングサーボがオンとされる（ステップＳ１０２）。即ち、サーボ光Ｌ２がガイドトラックを追従している状態とされる。また、スライダ位置サーボがオンとされる（ステップＳ１０３）。即ち、スライダ３００がスライダ制御部２４０によって位置制御される状態となる。
【００７８】
トラッキングサーボ及びスライダ位置サーボが共にオンとされると、ガイド層５１からの再生信号又は記録層５２の記録済データの再生信号を用いて、現在のアドレスが確認される（ステップＳ１０４）。ここで、アドレスが記録開始位置付近の記録開始待機位置から外れている場合（ステップＳ１０５：ＮＯ）、例えばトラッキングサーボが一時的にオフとされ、記録開始待機位置への再アクセスが行われる。
【００７９】
アドレスが記録開始待機位置である場合（ステップＳ１０５：ＹＥＳ）、トラッキングサーボ及びスライダ位置サーボがオンで安定した状態で記録開始位置待ちが行われ、記録開始位置になった時点での対物レンズ１０１の偏奇位置が、目標設定器４２０（図２参照）において目標値として設定される（ステップＳ１０６）。スライダ制御部２４０は、対物レンズ１０１の偏奇量が、ここで設定された目標値となるようにスライダ３００を制御する。よって、対物レンズ１０１の偏奇量は、記録開始時点の状態で保持される。
【００８０】
目標値が設定されると、記録光学系の光源が変調され、光ディスク５０への記録が開始される（ステップＳ１０７）。記録中には、対物レンズ１０１の偏奇状態が安定しているか否かが監視される（ステップＳ１０８）。即ち、対物レンズ１０１の偏奇量が目標値のまま保持されているか否かが監視されている。
【００８１】
ここで、例えばトラック飛び等に起因して、対物レンズ１０１の偏奇量が所定の閾値より大きく変動してしまった場合（ステップＳ１０８：ＮＯ）、目標設定器４２０において、変動後の対物レンズ１０１の偏奇量が目標値として再設定される（ステップＳ１０７）。これにより、予期せぬ偏奇量の変動が発生した場合でも、偏奇量の変動を好適に抑制することができる。
【００８２】
記録が終了すると（ステップＳ１１０：ＹＥＳ）、記録光学系の光源の変調が終了され（ステップＳ１１１）、本実施形態に係る情報記録再生装置による一連の処理は終了する。
【００８３】
次に、第１実施形態に係る情報記録再生装置による効果について図４から図９を参照して説明する。
【００８４】
先ず、第１実施形態に係る情報記録再生装置のように、１つの対物レンズ１０１を介して２つの光ビーム（即ち、記録再生光Ｌ１及びサーボ光Ｌ２）を照射する場合に起こり得る光軸ずれについて、図４から図７を参照して説明する。ここに図４は、対物レンズが偏奇していない状態を示す側面図である。また図５は、対物レンズが右側に偏奇している状態を示す側面図であり、図６は、対物レンズが左側に偏奇している状態を示す側面図である。図７は、ガイドトラックに偏芯がある場合のガイドトラックと記録トラックのズレを示す概念図である。
【００８５】
図４に示すように、対物レンズ１０１が、アクチュエータＡＣＴ１の作動範囲の中心に位置している場合、記録再生光Ｌ１及びサーボ光Ｌ２の光軸は、概ね同じ位置となる。よって、この場合は、ガイドトラックに沿うように記録トラックが形成される。
【００８６】
一方、図５及び図６に示すように、対物レンズ１０１が、アクチュエータＡＣＴ１の作動範囲の中心からずれた箇所に位置している場合、記録再生光Ｌ１とサーボ光Ｌ２との間には、図に示すような光軸ずれが発生する。よって、この場合は、ガイドトラックからずれた位置に記録トラックが形成される。
【００８７】
図７において、上述したような光軸ずれは、例えばガイドトラックが光ディスク５０の回転中心に対して偏芯を持っている場合に発生することがある。この場合、記録トラックは、光ディスク５０の回転周期に合わせて周期的にずれて形成される。しかしながら、隣接トラック同士で見れば、偏芯量は概ね同じであり、記録時の対物レンズの偏奇状態も同様となる。よって、記録トラックがガイドトラックとずれていても、隣接するトラック同士の間隔は一定となり、トラックピッチむらは生じない。
【００８８】
次に、トラックピッチむらの発生について、図８及び図９を参照して説明する。ここに図８は、対物レンズがガイドトラックの進行方向と逆に動く場合のガイドトラックと記録トラックのズレを示す概念図である。また図９は、対物レンズがガイドトラックの進行方向に動く場合のガイドトラックと記録トラックのズレを示す概念図である。
【００８９】
図８において、記録時のガイドトラックの進みに対して、スライダ３００の位置制御が遅れる場合（即ち、アクチュエータＡＣＴ１の中心に対する対物レンズ１０１の相対位置がガイドトラックの進行方向と逆に動く場合）、記録トラックのトラックピッチは狭くなる。
【００９０】
他方、図９において、記録時のガイドトラックの進みに対して、スライダ３００の位置制御が更に進む場合（即ち、アクチュエータＡＣＴ１の中心に対する対物レンズ１０１の相対位置がガイドトラックの進行方向に動く場合）、記録トラックのトラックピッチは広くなる。
【００９１】
以上の結果から、サーボ光Ｌ２がガイドトラックを精度よく追従している条件において、トラックピッチを決めるのは、アクチュエータＡＣＴ１内の対物レンズ１０１の偏奇量の変化率であることが分かる。即ち、対物レンズ１０１の偏奇量が変化した場合に、トラックピッチむらが発生すると言える。トラックピッチむらは、再生時の信号劣化を招き、再生性能やトラッキング性能に問題を生じさせる原因となるおそれがある。
【００９２】
しかるに第１実施形態に係る情報記録再生装置によれば、上述したように、スライダ３００が対物レンズ１０１の偏奇量を保持するように制御される。従って、対物レンズの偏奇量の変動は全く或いは殆どなくなり、トラックピッチむらの発生を抑制することができる。
【００９３】
＜第２実施形態＞
次に、第２実施形態に係る情報記録再生装置及び情報記録再生方法について、図１０及び図１１を参照して説明する。尚、第２実施形態は、上述した第１実施形態と比べて一部の構成及び動作が異なるのみであり、他の部分については概ね同様である。このため、以下では第１実施形態と異なる部分について詳細に説明し、その他の重複する部分については適宜説明を省略するものとする。
【００９４】
第２実施形態に係る情報記録再生装置の全体構成は、図１に示した第１実施形態に係る情報記録再生装置１と同様である。但し、スライダ制御部２４０の構成について、一部異なる部分がある。以下では、第２実施形態に係るスライダ制御部の具体的な構成について、図１０を参照して説明する。ここに図１０は、第２実施形態に係るスライダ制御部の具体的な構成を示すブロック図である。
【００９５】
図１０において、第２実施形態に係るスライダ制御部２４０は、低域通過フィルタ５１０と、第１補償器５２０と、パルス発生器５３０と、第２補償器５４０と、可変周波数発振器５５０と、パルスカウンタ５６０と、フィードフォワード演算器５７０とを備えて構成されている。
【００９６】
低域通過フィルタ５１０、第１補償器５２０及びパルス発生器５３０は、それぞれ第１実施形態に係る低域通過フィルタ４１０、補償器４３０及びパルス発生器４４０（図２参照）と同様の構成である。但し、第２実施形態では、目標値設定器４２０が備えられておらず、目標値はゼロで固定されている。尚、第１補償器５２０及びパルス発生器５３０は、記録時には用いられず、再生時のみに用いられる。
【００９７】
第２補償器５４０は、第１補償器５３０と同様の構成であり、スライダ３００の制御における制御帯域を制限し、スライダ制御信号を生成する。
【００９８】
可変周波数発振器は、例えばＶＣＯ（Voltage Controlled Oscillator）やＤＣＯ（Digital Controlled Oscillator）と呼ばれるものであり、第２補償器５４０から供給されるスライダ制御信号に基づいて、スライダ駆動パルス信号の周波数を変化させる。スライダ駆動パルス信号の周波数を変化することで、スライダ３００は駆動速度が制御されることになる。
【００９９】
パルスカウンタ５６０は、可変周波数発振器から出力されたスライダ駆動パルス信号のパルス数をカウントして、光ディスク５０における半径位置Ｒを検出する。
【０１００】
フィードフォワード演算器５７０は、例えば光ディスク５０の回転周波数Ｆｒｏｔやパルスカウンタ５６０で検出された半径位置Ｒを用いて、フィードフォワード値を算出する。フィードフォワード値は、例えば記録中のガイドトラックが進む速度とすることができる。算出されたフィードフォワード値は、第２補償器５４０から可変周波数発振器５５０に供給されるスライダ制御信号に加算されることで、スライダ制御の精度を高めるという効果を発揮する。
【０１０１】
フィードフォワード値は、例えばスライダ駆動パルス信号の周波数をＦｓｔｐ、ガイドトラックのトラックピッチをＰｔｒｋ、ステッピングモータ３１０による１ステップあたりのスライダ３００の移送量をＰｓｔｐとした場合の以下の数式（１）を用いて求めることができる。
【０１０２】
Ｆｓｔｐ＝Ｆｒｏｔ・Ｐｔｒｋ／Ｐｓｔｐ  ・・・（１）
また、記録時の光ディスク５０の線速度Ｖ、パルスカウンタ５６０によって検出される半径位置Ｒを用いて表される以下の数式（２）からも求めることができる。
【０１０３】
Ｆｓｔｐ＝（Ｖ／２πＲ）・Ｐｔｒｋ／Ｐｓｔｐ  ・・・（２）
尚、フィードフォワード値は、上述した数式（１）及び数式（２）以外を用いて算出されてもよい。
【０１０４】
次に、第２実施形態に係る情報記録再生装置の動作について、図１１を参照して説明する。ここに図１１は、第２実施形態に係る情報記録再生装置の記録時の動作を示すフローチャートである。
【０１０５】
図１１において、第２実施形態に係る情報記録再生装置の動作時には、例えば図示しないシステムコントローラから記録開始指令が出される。記録開始指令を受けたスライダ制御部２４０は、スライダ駆動パルス信号を生成し、ステッピングモータ３１０駆動する。これにより、記録開始待機位置となる所望の半径位置にスライダ３００及び各光学系が移動される（ステップＳ２０１）。
【０１０６】
続いて、トラッキングサーボがオンとされる（ステップＳ２０２）。即ち、サーボ光Ｌ２がガイドトラックを追従している状態とされる。また、スライダ位置サーボがオンとされる（ステップＳ２０３）。即ち、スライダ３００がスライダ制御部２４０によって位置制御される状態となる。
【０１０７】
トラッキングサーボ及びスライダ位置サーボが共にオンとされると、ガイド層５１からの再生信号又は記録層５２の記録済データの再生信号を用いて、現在のアドレスが確認される（ステップＳ２０４）。ここで、アドレスが記録開始位置付近の記録開始待機位置から外れている場合（ステップＳ２０５：ＮＯ）、例えばトラッキングサーボが一時的にオフとされ、記録開始待機位置への再アクセスが行われる。
【０１０８】
アドレスが記録開始待機位置である場合（ステップＳ２０５：ＹＥＳ）、トラッキングサーボ及びスライダ位置サーボがオンで安定した状態で記録開始位置待ちが行われる。尚、スライダ位置サーボの目標値はゼロ（即ち、アクチュエータＡＣＴ１の作動範囲の中心）である。アドレスが記録開始位置となると、記録光学系の光源が変調され、光ディスク５０への記録が開始される（ステップＳ２０６）。
【０１０９】
記録が開始されると、スライダ速度サーボがオンとされる（ステップＳ２０７）。即ち、スライダ位置サーボはオフとされ、スライダ３００は位置制御ではなく速度制御によって駆動されることになる。具体的には、スライダ駆動パルス信号の出力元が、パルス発生器５３０から可変周波数発振器５５０に切替えられ、スライダ制御信号に応じた周波数のスライダ駆動パルス信号が出力される。
【０１１０】
また、スライダ速度サーボがオンされると、フィードフォワード演算器５７０において算出されたフィードフォワード値の加算も開始される（ステップＳ２０８）。これにより、スライダ３００の速度制御は、より精度の高いものとなる。
【０１１１】
記録が終了すると（ステップＳ２０９：ＹＥＳ）、記録光学系の光源の変調が終了される（ステップＳ２１０）。また、フィードフォワード値の加算が終了される（ステップＳ２１１）。更に、スライダ位置サーボがオンとされる（ステップＳ２１２）。即ち、スライダ速度サーボはオフとされ、スライダ３００は速度制御ではなく位置制御によって駆動されることになる。具体的には、スライダ駆動パルス信号の出力元が、可変周波数発振器５５０からパルス発生器５３０に切替えられ、記録開始前と同様の状態とされる。
【０１１２】
以上説明した動作によれば、記録時にスライダ３００が速度制御されるため、対物レンズ１０１の偏奇量の変動を位置制御の場合と比べて緩やか（例えば、１０分の１程度）にすることができる。よって、トラックピッチむらの発生を効果的に抑制することができる。また、緩やかではあるものの、対物レンズ１０１の偏奇量も小さくされるため、記録再生光Ｌ１とサーボ光Ｌ２との光軸ずれを解消することも可能である。
【０１１３】
以上、第１実施形態及び第２実施形態に係る情報記録再生装置及び情報記録再生方法によれば、トラックピッチむらの発生を効果的に抑制することができるため、装置の安定した動作性能を実現することができる。
【０１１４】
尚、上述した各実施形態では記録時の動作についてのみ説明したが、再生時についても同様の動作を行うようにしてもよい。但し、再生時には記録トラックは既に形成されており、トラックピッチむらは新たに発生しないと考えられるため、上述した本実施形態に特有の動作を行わないようにしても構わない。
【０１１５】
本発明は、上述した実施形態に限られるものではなく、請求の範囲及び明細書全体から読み取れる発明の要旨または思想に反しない範囲で適宜変更可能であり、そのような変更を伴う情報記録再生装置及び情報記録再生方法もまた本発明の技術的範囲に含まれるものである。
【符号の説明】
【０１１６】
１  情報記録再生装置
１０  光ピックアップ
２０  スピンドルモータ
３０  制御部
５０  光ディスク
５１  ガイド層
５２  記録層
１０１  対物レンズ
２１０  トラッキングエラー生成部
２２０  トラッキング制御部
２３０  対物レンズ駆動部
２４０  スライダ制御部
２５０  スライダ駆動部
３００  スライダ
３１０  ステッピングモータ
４１０  低減通過フィルタ
４２０  目標値設定器
４３０  補償器
４４０  パルス発生器
５１０  低域通過フィルタ
５２０  第１補償器
５３０  パルス発生器
５４０  第２補償器
５５０  可変周波数発振器
５６０  パルスカウンタ
５７０  フィードフォワード演算器
ＡＣＴ１、ＡＣＴ２  アクチュエータ
Ｌ１  記録再生光
Ｌ２  サーボ光
ＬＤ１、ＬＤ２  光源
ＰＤ１、ＰＤ２  受光素子
【図１】
2012111105.tif 000003
【図２】
2012111105.tif 000004
【図３】
2012111105.tif 000005
【図４】
2012111105.tif 000006
【図５】
2012111105.tif 000007
【図６】
2012111105.tif 000008
【図７】
2012111105.tif 000009
【図８】
2012111105.tif 000010
【図９】
2012111105.tif 000011
【図１０】
2012111105.tif 000012
【図１１】
2012111105.tif 000013
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を小さくするように、前記スライダ部の駆動速度を制御するスライダ制御手段と
を備え、
前記スライダ制御手段は、前記スライダ部の駆動速度を、前記ガイドトラックの進行速度に近づけるように制御する
ことを特徴とする情報記録再生装置。
【請求項２】
（削除）
【請求項３】
前記スライダ制御手段は、前記スライダ部の駆動速度の基準とすべき基準速度を算出する基準速度算出手段を有しており、前記基準速度に基づいて前記スライダ部の駆動速度を制御することを特徴とする請求の範囲第１項に記載の情報記録再生装置。
【請求項４】
前記スライダ制御手段は、前記記録再生光学系において情報を記録する場合には、前記スライダ部の駆動速度を制御し、前記記録再生光学系において情報を再生する場合には、前記スライダ部の位置を制御することを特徴とする請求の範囲第１項に記載の情報記録再生装置。
【請求項５】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を基準偏奇量として保持するように前記スライダ部を制御する偏奇量保持制御手段と
を備えることを特徴とする情報記録再生装置。
【請求項６】
前記偏奇量保持制御手段は、前記偏奇量が所定閾値より大きく変動したことを検出した場合に、前記基準偏奇量を再設定することを特徴とする請求の範囲第５項に記載の情報記録再生装置。
【請求項７】
前記偏奇量保持制御手段は、前記記録再生光学系において情報を記録する場合にのみ、前記検出された偏奇量を前記基準偏奇量として保持するように前記スライダ部を制御することを特徴とする請求の範囲第５項に記載の情報記録再生装置。
【請求項８】
ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を小さくするように、前記スライダ部の駆動速度を制御するスライダ制御工程と
を備え、
前記スライダ制御工程では、前記スライダ部の駆動速度を、前記ガイドトラックの進行速度に近づけるように制御する
ことを特徴とする情報記録再生方法。
【請求項９】
ガイドトラックが形成されたガイド層と、前記ガイド層上に積層さた複数の記録層とを有する光ディスクの前記複数の記録層のうち
一の記録層に対して、対物レンズを介して記録再生用の第１光ビームを照射する記録再生光学系と、前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を基準偏奇量として保持するように前記スライダ部を制御する偏奇量保持制御工程と
を備えることを特徴とする情報記録再生方法。
【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を小さくするように、前記スライダ部の駆動速度を制御するスライダ制御手段と
を備え、
前記スライダ制御手段は、前記スライダ部の駆動速度を、前記ガイドトラックの進行速度に近づけるように制御する
ことを特徴とする情報記録再生装置。
【請求項２】
前記スライダ制御手段は、前記スライダ部の駆動速度の基準とすべき基準速度を算出する基準速度算出手段を有しており、前記基準速度に基づいて前記スライダ部の駆動速度を制御することを特徴とする請求の範囲第１項に記載の情報記録再生装置。
【請求項３】
前記スライダ制御手段は、前記記録再生光学系において情報を記録する場合には、前記スライダ部の駆動速度を制御し、前記記録再生光学系において情報を再生する場合には、前記スライダ部の位置を制御することを特徴とする請求の範囲第１項に記載の情報記録再生装置。
【請求項４】
ガイドトラックが形成されたガイド層と、前記ガイド層上に積層された複数の記録層とを有する光ディスクに対して、情報を記録する又は記録された情報を再生する情報記録再生装置であって、
前記複数の記録層のうち一の記録層に対して、対物レンズを介して記録再生用の第１光ビームを照射する記録再生光学系と、
前記ガイド層に対して、前記対物レンズを介してトラッキング用の第２光ビームを照射するサーボ光学系と、
前記対物レンズを支持すると共に、前記サーボ光学系からの再生信号に基づいて前記対物レンズを駆動する対物レンズ駆動手段と、
前記記録再生光学系、前記サーボ光学系及び前記対物レンズ駆動手段をまとめて駆動可能なスライダ部と、
前記対物レンズ駆動手段の駆動範囲内での前記対物レンズの偏奇量を検出する偏奇量検出手段と、
前記検出された偏奇量を基準偏奇量として保持するように前記スライダ部を制御する偏奇量保持制御手段と
を備えることを特徴とする情報記録再生装置。
【請求項５】
前記偏奇量保持制御手段は、前記偏奇量が所定閾値より大きく変動したことを検出した場合に、前記基準偏奇量を再設定することを特徴とする請求の範囲第４項に記載の情報記録再生装置。
【請求項６】
前記偏奇量保持制御手段は、前記記録再生光学系において情報を記録する場合にのみ、前記検出された偏奇量を前記基準偏奇量として保持するように前記スライダ部を制御することを特徴とする請求の範囲第４項に記載の情報記録再生装置。
【請求項７】
ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を小さくするように、前記スライダ部の駆動速度を制御するスライダ制御工程と
を備え、
前記スライダ制御工程では、前記スライダ部の駆動速度を、前記ガイドトラックの進行速度に近づけるように制御する
ことを特徴とする情報記録再生方法。
【請求項８】
ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、
前記対物レンズ駆動手段の駆動範囲内での前記対物レンズの偏奇量を検出する偏奇量検出工程と、
前記検出された偏奇量を基準偏奇量として保持するように前記スライダ部を制御する偏奇量保持制御工程と
を備えることを特徴とする情報記録再生方法。
【手続補正２】
【補正対象書類名】明細書
【補正対象項目名】０００７
【補正方法】変更
【補正の内容】
【０００７】
上記課題を解決するために、本発明の第１の情報記録再生装置は、ガイドトラックが形成されたガイド層と、前記ガイド層上に積層された複数の記録層とを有する光ディスクに対して、情報を記録する又は記録された情報を再生する情報記録再生装置であって、前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部と、前記対物レンズ駆動手段の駆動範囲内での前記対物レンズの偏奇量を検出する偏奇量検出手段と、前記検出された偏奇量を小さくするように、前記スライダ部の駆動速度を制御するスライダ制御手段とを備え、前記スライダ制御手段は、前記スライダ部の駆動速度を、前記ガイドトラックの進行速度に近づけるように制御する。
【手続補正３】
【補正対象書類名】明細書
【補正対象項目名】００４３
【補正方法】変更
【補正の内容】
【００４３】
上記課題を解決するために、本発明の第１の情報記録再生方法は、ガイドトラックが形成されたガイド層と、前記ガイド層上に積層された複数の記録層とを有する光ディスクの前記複数の記録層のうち一の記録層に対して、対物レンズを介して記録再生用の第１光ビームを照射する記録再生光学系と、前記ガイド層に対して、前記対物レンズを介してトラッキング用の第２光ビームを照射するサーボ光学系と、前記対物レンズを支持すると共に、前記サーボ光学系からの再生信号に基づいて前記対物レンズを駆動する対物レンズ駆動手段と、前記記録再生光学系、前記サーボ光学系及び前記対物レンズ駆動手段をまとめて駆動可能なスライダ部とを備える情報記録再生装置における情報記録再生方法であって、前記対物レンズ駆動手段の駆動範囲内での前記対物レンズの偏奇量を検出する偏奇量検出工程と、前記検出された偏奇量を小さくするように、前記スライダ部の駆動速度を制御するスライダ制御工程とを備え、前記スライダ制御工程では、前記スライダ部の駆動速度を、前記ガイドトラックの進行速度に近づけるように制御する。
【国際調査報告】
2012111105.tif 000014
2012111105.tif 000015